(57)【要約】【課題】簡単な構造によって、複数の用紙に折り目を付けた後に順次用紙受け上に載置して積層する。【解決手段】積層状態にストックされた多数の用紙３の中央部を折り、折り目に沿ってステープル止めする中綴じステープラ搭載フィニッシャにおいて、上記各用紙３の中央部を折りローラ１１の間に押し込んで折り目を付けた後、折り目のついた用紙３をＶ字形の用紙受け６にＶ字形で順次落下させて積層させ、積層状態にストックされた用紙３の折り目に沿ってステープルで綴じる。【選択図】図１
2010150002.tif 000002
【特許請求の範囲】
【請求項１】
積層状態にストックされた多数の用紙の中央部を折り、折り目に沿ってステープル止めする中綴じステープラ搭載フィニッシャにおいて、
上記各用紙の中央部を折り用ブレードにより折りローラの間に押し込んで折り目を付けた後、折り目のついた用紙をＶ字形の用紙受けにＶ字形で順次落下させて積層させ、積層状態にストックされた用紙の折り目に沿ってステープルで綴じる
ことを特徴とする中綴じステープラ搭載フィニッシャ。
【請求項２】
上記各用紙を２つのローラを水平に並べてなる折りローラの上から折り用ブレードで上記２つのローラ間に押し込んで折り目を付け、折り目のついた用紙をＶ字形の用紙受けにＶ字形で順次自然落下させて積層させ、積層状態にストックされた用紙の折り目に沿ってステープルで綴じる
ことを特徴とする、請求項１に記載の中綴じステープラ搭載フィニッシャ。
【請求項３】
上記各用紙を２つのローラを水平に並べてなる折りローラの上から折り用ブレードで上記２つのローラ間に押し込んで折り目を付け、上記ローラを逆回転させるとともに折り用ブレードを退避させて折り目のついたＶ字形用紙を、逆Ｖ字形の用紙受けに順次自然落下させて積層させ、積層状態にストックされた用紙の折り目に沿ってステープルで綴じる
ことを特徴とする、請求項１に記載の中綴じステープラ搭載フィニッシャ。
【請求項４】
上記各用紙を２つのローラを上下に並べてなる折りローラの手前で折り返し、折り返した部分を折り用ブレードで上記２つのローラ間に押し込んで折り目を付け、折り目のついた用紙をＶ字形に開いた状態でＶ字形の用紙受けに順次自然落下させて積層させ、用紙受けを中綴じステープラに移動させて積層状態にストックされた用紙の折り目に沿ってステープルで綴じる
ことを特徴とする、請求項１に記載の中綴じステープラ搭載フィニッシャ。
【請求項５】
上下に並べられた２つのローラによって構成された用紙送りローラの上部ローラの一側に第３のローラを当接、離反可能に配置し、当接時に折り用ローラを構成するようにし、用紙送りローラの一側には上記各用紙の送りを案内する用紙案内板を配置し、他側には用紙案内板の延長上に用紙の先端が当接するガイドを斜めに設け、第３のローラを離反させた状態で上記用紙送りローラによって上記用紙案内板に沿って上記各用紙の中央部が上記折り用ローラの中間に至るまで送ったとき、上記第３のローラを上記上部ローラに当接させて構成された折りローラの間に上記折り用ブレードにより押し込んで折り目を付けた後、上記第３のローラを離反させ、上記各用紙を用紙送りローラにより水平方向に送り、送りの先端側を用紙案内板の延長上に斜めに設けられたガイドに沿って下方に移動案内して逆Ｖ字形の用紙受けの一側に設けたストッパに係合させるとともに、上記用紙の中央部を上記ガイドに沿って上方に浮き上がらせて用紙の送りの後端側を用紙受けの他側に設けたストッパに係合させ、該ストッパを上下に作動させて上記用紙を上記用紙受けに順次落下させて積層させ、用紙受けを中綴じステープラに移動させて積層状態にストックされた用紙の折り目に沿ってステープルで綴じることを特徴とする、請求項１に記載の中綴じステープラ搭載フィニッシャ。
【発明の詳細な説明】
【技術分野】
【０００１】
本発明は、複写機等で処理された複数の用紙の中央部に折り目を付け、折り目に沿ってステープルで綴じるための中綴じステープラ搭載フィニッシャに関する。
【背景技術】
【０００２】
従来、冊子、カタログ等のように複写機で複数の用紙を複写した後、さらに中綴じステープラによって用紙の中央部を綴じる中綴じ用ステープラ搭載フィニッシャは、ステープルを打ち出すドライバユニットと、ドライバユニットから打ち出されたステープルをクリンチするクリンチャユニットとを上下に分離し、ドライバユニットとクリンチャユニットとの間に用紙を通し、用紙の中央部をステープラで綴じるように構成されている。
【０００３】
ところで、用紙が２０枚以下の枚数であれば、中綴じ後一気に用紙束を折ることができるが、２０枚以上になると、一気に折り目を付けることが困難なため、１枚ずつ折り目を付けて用紙を逆Ｖ字形の、一般的に鞍と呼ばれる用紙受け上に搬送して積層し、用紙受けの上下に配置したドライバユニットとクリンチャユニットによって綴じるようにしている。
【特許文献１】特開２００６−２１９２９６号公報
【発明の開示】
【発明が解決しようとする課題】
【０００４】
しかしながら、従来のフィニッシャは、用紙受けの上に用紙を載せるための用紙搬送経路が複雑になっていた。また、複数の用紙を綴じた後、用紙受けから排出する場合も、ステープルの脚部が引っかからないようにするため、機構や排出経路が複雑になっている。
【０００５】
本発明は上記問題点を解消し、簡単な構造によって、複数の用紙に折り目を付けた後に順次用紙受け上に載置して積層することができる中綴じステープラ搭載フィニッシャを提供することをその課題とする。
【課題を解決するための手段】
【０００６】
前記課題を解決するため、請求項１に係る発明は、積層状態にストックされた多数の用紙の中央部を折り、折り目に沿ってステープル止めする中綴じステープラ搭載フィニッシャにおいて、上記各用紙の中央部を折り用ブレードにより折りローラの間に押し込んで折り目を付けた後、折り目のついた用紙をＶ字形の用紙受けにＶ字形で順次落下させて積層させ、積層状態にストックされた用紙の折り目に沿ってステープルで綴じることを特徴とする。
【０００７】
請求項２に係る発明は、請求項１において、上記各用紙を２つのローラを水平に並べてなる折りローラの上から折り用ブレードで上記２つのローラ間に押し込んで折り目を付け、折り目のついた用紙をＶ字形の用紙受けにＶ字形で順次自然落下させて積層させ、積層状態にストックされた用紙の折り目に沿ってステープルで綴じることを特徴とする。
【０００８】
請求項３に係る発明は、請求項１において、上記各用紙を２つのローラを水平に並べてなる折りローラの上から折り用ブレードで上記２つのローラ間に押し込んで折り目を付け、上記ローラを逆回転させるとともに折り用ブレードを退避させて折り目のついたＶ字形用紙を、逆Ｖ字形の用紙受けに順次自然落下させて積層させ、積層状態にストックされた用紙の折り目に沿ってステープルで綴じることを特徴とする。
【０００９】
請求項４に係る発明は、請求項１において、上記各用紙を２つのローラを上下に並べてなる折りローラの手前で折り返し、折り返した部分を折り用ブレードで上記２つのローラ間に押し込んで折り目を付け、折り目のついた用紙をＶ字形に開いた状態でＶ字形の用紙受けに順次自然落下させて積層させ、積層状態にストックされた用紙の折り目に沿ってステープルで綴じることを特徴とする。
【００１０】
請求項５に係る発明は、請求項１において、上下に並べられた２つのローラによって構成された用紙送りローラの上部ローラの一側に第３のローラを当接、離反可能に配置し、当接時に折り用ローラを構成するようにし、用紙送りローラの一側には上記各用紙の送りを案内する用紙案内板を配置し、他側には用紙案内板の延長上に用紙の先端が当接するガイドを斜めに設け、第３のローラを離反させた状態で上記用紙送りローラによって上記用紙案内板に沿って上記各用紙の中央部が上記折り用ローラの中間に至るまで送ったとき、上記第３のローラを上記上部ローラに当接させて構成された折りローラの間に上記折り用ブレードにより押し込んで折り目を付けた後、上記第３のローラを離反させ、上記各用紙を用紙送りローラにより水平方向に送り、送りの先端側を用紙案内板の延長上に斜めに設けられたガイドに沿って下方に移動案内して逆Ｖ字形の用紙受けの一側に設けたストッパに係合させるとともに、上記用紙の中央部を上記ガイドに沿って上方に浮き上がらせて用紙の送りの後端側を用紙受けの他側に設けたストッパに係合させ、該ストッパを上下に作動させて上記用紙を上記用紙受けに順次落下させて積層させ、用紙受けを中綴じステープラに移動させて積層状態にストックされた用紙の折り目に沿ってステープルで綴じることを特徴とする。
【発明の効果】
【００１１】
本発明によれば、各用紙の中央部を折り用ブレードにより折りローラの間に押し込んで折り目を付けた後、折り目のついた用紙をＶ字形の用紙受けに順次落下させて積層させるようにしたから、簡単な構造によって、複数の用紙に折り目を付けた後にＶ字形で順次用紙受け上に載置して積層することができる。このため、積層状態にストックされた用紙の折り目に沿ってステープルで綴じることにより、中綴じされた用紙の束を得ることができる。
【００１２】
請求項２に係る発明によれば、上記各用紙を２つのローラを水平に並べてなる折りローラの上から折り用ブレードで上記２つのローラ間に押し込んで折り目を付け、折り目のついた用紙をＶ字形の用紙受けにＶ字形で順次自然落下させて積層させ、積層状態にストックされた用紙の折り目に沿ってステープルで綴じるようにしたから、折りローラが用紙に折り目をつけた後、そのまま落下させて用紙受けに積層させてストックすることができるから、複雑な用紙搬送機構が不要である。
【００１３】
請求項３に係る発明によれば、上記各用紙を２つのローラを水平に並べてなる折りローラの上から折り用ブレードで上記２つのローラ間に押し込んで折り目を付け、上記ローラを逆回転させるとともに折り用ブレードを退避させて折り目のついたＶ字形用紙を、逆Ｖ字形の用紙受けに順次自然落下させて積層させ、積層状態にストックされた用紙の折り目に沿ってステープルで綴じるようにしたから、複雑な用紙搬送機構が不要である。
【００１４】
請求項４に係る発明によれば、上記各用紙を２つのローラを上下に並べてなる折りローラの手前で折り返し、折り返した部分を折り用ブレードで上記２つのローラ間に押し込んで折り目を付け、折り目のついたＶ字形に開いた状態で用紙をＶ字形の用紙受けに順次自然落下させて積層させ、用紙受けを中綴じステープラに移動させて積層状態にストックされた用紙の折り目に沿ってステープルで綴じるようにしたから、用紙受けが移動してステープラの綴じ位置に移動するので、中綴じステープラと用紙とを綴じる芯を合わせやすい。
【００１５】
請求項５に係る発明によれば、上下に並べられた２つのローラによって構成された用紙送りローラの上部ローラの一側に第３のローラを当接、離反可能に配置し、当接時に折り用ローラを構成するようにし、用紙送りローラの一側には上記各用紙の送りを案内する用紙案内板を配置し、他側には用紙案内板の延長上に用紙の先端が当接するガイドを斜めに設け、第３のローラを離反させた状態で上記用紙送りローラによって上記用紙案内板に沿って上記各用紙の中央部が上記折り用ローラの中間に至るまで送ったとき、上記第３のローラを上記上部ローラに当接させて構成された折りローラの間に上記折り用ブレードにより押し込んで折り目を付けた後、上記第３のローラを離反させ、上記各用紙を用紙送りローラにより水平方向に送り、送りの先端側を用紙案内板の延長上に斜めに設けられたガイドに沿って下方に移動案内して逆Ｖ字形の用紙受けの一側に設けたストッパに係合させるとともに、上記用紙の中央部を上記ガイドに沿って上方に浮き上がらせて用紙の送りの後端側を用紙受けの他側に設けたストッパに係合させ、該ストッパを上下に作動させて上記用紙を上記用紙受けに順次落下させて積層させ、用紙受けを中綴じステープラに移動させて積層状態にストックされた用紙の折り目に沿ってステープルで綴じる構成であるから、逆Ｖ字形の用紙受けであるから、折り目の付いた用紙を自然落下により用紙受けにストックすることができる。また、折り目のついた用紙をそのまま落下させて用紙受けにストックするため、送り方向は一方向となり、複雑な用紙搬送機構を必要としない。さらに、ステープラではなく、用紙受けが移動して綴じ位置を変えられるため、中綴じステープラと用紙とを綴じる芯を合わせやすい。
【発明を実施するための最良の形態】
【００１６】
図１（ａ）〜（ｄ）は複写機（印刷機等でもよい）１で複写された複数の用紙をステープル止めする中綴じステープラ搭載フィニッシャを示すもので、複写機１内で複写された用紙３は順次フィニッシャに搬送されて所定位置に積層状態にストックされ、フィニッシャに搭載された中綴じステープラで綴じられるように構成されている。
【００１７】
フィニッシャには、複写機１から搬送された複写済み用紙３を受ける用紙案内板４と、上記用紙３に折り目を付ける折り目付け機構５と、折り目の付いた用紙３をストックする用紙受け６と、用紙受け６に配置された中綴じステープラ７とが配置されている。
【００１８】
上記用紙案内板４は水平板状に形成され、一端は複写機１の用紙３排出口の近傍に設けられ、他端にはストッパ８ａが設けられている。用紙３は図示しない適宜の送り手段により上記一端から他端に向けて搬送され、他端のストッパ８ａに当たったところで位置決めされる。ストッパ８ａの位置は用紙３のサイズによって移動可能に設けられている。用紙３の中央部に対応する位置には開口部１０が形成されている。
【００１９】
折り目付け機構５は、用紙案内板４の開口部１０の下部に配置された折りローラ１１と上部に配置された折りブレード１２とから構成されている。折りローラ１１は水平に設けられた２つのローラ１１ａ、１１ｂからなり、２つのローラ１１ａ、１１ｂの接面部はストッパ８ａに位置決めされた用紙３の中央部位置と対応するように設けられている。２つのローラ１１ａ、１１ｂは接面部が下向きになるように互いに逆回転するようになっている。また、折りブレード１２は上記折りローラ１１の中心の上部に上下動可能に配置されている。
【００２０】
なお、折りローラ１１と折りブレード１２は用紙３の幅よりも長くなるように形成されるのが好ましいが、折りブレード１２の幅は折りローラ１１に用紙３を押し込める程度であればよく、用紙３の幅より小さくてもよい。
【００２１】
次に、用紙受け６は略直角をなすＶ字形に形成され、一般には鞍と呼ばれているもので、底部には開口部１３が形成されている。用紙受け６は折りローラ１１の直下部と折りローラ１１の軸方向と平行に移動して次の中綴じステープラ７に対応する位置とに移動可能に設けられている。
【００２２】
中綴じステープラ７は、用紙受け６の開口部１３の上下にそれぞれクリンチャユニット１４とドライバユニット１５とを設けてなるものである。図示はしないが、ドライバユニット１５は、ドライバプレートによってステープルを上方に打ち出すものであり、クリンチャユニット１４は、打ち出されたステープルの脚部を折り曲げて綴じるものである。なお、中綴じステープラ７は折りローラ１１の下部ではなく、折りローラ１１の軸方向にずれた位置に配置されている。
【００２３】
次に、上記構成のフィニッシャの作動態様について説明する。まず、図１（ａ）に示されるように、複写された用紙３が用紙案内板４上に沿って送られ、折りローラ１１を越えてストッパ８ａに当たって停止する。次に、同図（ｂ）に示されるように、折りブレード１２が下動して用紙３の中央部を押し下げて折りローラ１１の２つのローラ１１ａ、１１ｂ間に押し込んだ後、上方に退避作動する。２つのローラ１１ａ、１１ｂ間に押し込まれた用紙３の中央部には折り目が付けられ、その後２つのローラ１１ａ、１１ｂの間を通って落下する。同図（ｃ）に示されるように、折りローラ１１の下方には用紙受け６が配置されているので、折られた用紙３は用紙受け６上に載置される。同様にして、同図（ｄ）に示されるように、複写された用紙３はＶ字形で用紙受け６上に落下し、折り目が揃った積層状態となってストックされる。
【００２４】
用紙受け６上に所定の枚数の用紙３が溜まると、用紙受け６は中綴じステープラ７のクリンチャユニット１４とドライバユニット１５との間にスライド移動する。移動後、ステープラが作動し、折り目にステープルが打ち込まれて綴じられる。
【００２５】
なお、綴じられた後、用紙受け６は再び折りローラ１１の下部に移動する。用紙３は用紙受け６に沿って移動して排出され、縁部が裁断されて体裁が整えられる。
【００２６】
上記構成によれば、各用紙３の中央部を折りローラ１１の間に押し込んで折り目を付けた後、折り目のついた用紙をＶ字形の用紙受け６に順次落下させて積層させるようにしたから、簡単な構造によって、複数の用紙に折り目を付けた後に順次用紙受け６上に載置して積層することができる。このため、積層状態にストックされた用紙３の折り目に沿ってステープルで綴じることにより、中綴じされた用紙の束を得ることができる。
【００２７】
次に、図２〜図５はフィニッシャの他の形態で、基本的な位置関係は図１のものと同じであるが、この場合、折りローラ１１は用紙案内板４の上部に配置され、折りブレード１２はその下部に配置されている。折りブレード１２は折りローラ１１の軸方向に移動可能に設けられている。また、用紙受け６は逆Ｖ字形に形成されている。また、ドライバユニット１５は用紙受け６の上部に、クリンチャユニット１４は用紙受け６の下部に配置されている。他の構成は図１〜図４に示したのと同じであり、同符号で示す。
【００２８】
上記構成のフィニッシャの作動態様について説明すると、まず、図２のように、複写された用紙３が用紙案内板４上に沿って送られ、折りローラ１１を越えてストッパ８ｂに当たって停止する。次に、折りブレード１２が上動して用紙３の中央部を押し上げて折りローラの２つのローラ１１ａ、１１ｂ間に押し込んだ後、図３に示すように下方に移動した後、図４のように、折りローラ１１の軸方向に移動して退避作動する。２つのローラ１１ａ、１１ｂ間に押し込まれた用紙３の中央部には折り目が付けられる。折りブレード１２が退避した後、折りローラ１１の２つのローラ１１ａ、１１ｂは逆回転して用紙３を解放する。これにより、用紙３は落下し、用紙受け６上に載置される。同様にして、折り目付けされた用紙３は用紙受け６上に落下し、折り目が揃った積層状態となってストックされる。
【００２９】
用紙受け６上に所定の枚数の用紙３が溜まると、図５のように、用紙受け６は中綴じステープラ７のクリンチャユニット１４とドライバユニット１５との間にスライド移動する。移動後、ステープラが作動し、折り目にステープルが打ち込まれて綴じられる。その後、用紙受け６は再び折りローラ１１の下部に移動する。用紙３は用紙受け６に沿って移動して排出され、縁部が裁断されて体裁が整えられる。
【００３０】
上記構成によれば、折り目のついた用紙３をそのまま落下させて用紙受け６にストックするため、複雑な用紙搬送機構が不要である。
【００３１】
図６〜図９はフィニッシャのさらに別の形態を示すもので、基本的な位置関係は図１（ａ）〜（ｄ）および図２〜図５に示したものと同じであるが、折りローラ１１のローラ１１ａ、１１ｂは用紙案内板４の端部に形成された開口部１０を塞ぐように上下に並べて配置されている。用紙案内板４の複写機１側の端部にはストッパ８ｃが設けられている。用紙案内板４の中間部より開口部１０側位置には小開口１６が形成されている。小開口１６の上下部には湾曲した２つの仮折り板１７ａ、１７ｂがそれぞれ間隔をおいて配置されている。そして、隣り合う上下の仮折り板１７ａ、１７ｂの間にはガイドプレート１８が配置されている。仮折り板１７ａ、１７ｂは上下の逆方向に移動可能に設けられ、ガイドプレート１８は上端の支軸１９を中心に回動して用紙案内板４から退避可能に設けられている。
【００３２】
折りブレード１２は用紙案内板４の上面に浮いた状態で水平に配置されている。折りブレード１２は用紙案内板４に沿って折りローラ１１側に移動可能に構成されている。
【００３３】
上記構成のフィニッシャの作動態様について説明すると、まず、図６に示されるように、複写された用紙３が用紙案内板４上を折りブレード１２の上面に沿って送られると、その先には上下の仮折り板１７ａ、１７ｂとガイドプレート１８とによってＵ字形の案内壁が形成されているので、送られた用紙３は上記案内壁によって折り返され、用紙案内板４と折りブレード１２との間を通って送り方向と逆の方向に移動する。そして、先端は図７に示されるように、ストッパ８ｃに当たって停止し、位置決めされる。
【００３４】
次に、ガイドプレート１８が支軸１９を中心にして時計方向に回転して用紙３の中央部となる折り返し部が開放されると同時に仮折り板１７ａ、１７ｂが上下動して用紙３の折り返し部を挟み込み、折り目を付けやすいように折り癖を付ける。さらに、折りブレード１２が仮折り板１７ａ、１７ｂの間を通り、用紙３を折りローラ１１の間に押し込む。その後、折りブレード１２は元の位置に戻る。
【００３５】
用紙３は折りローラ１１の２つのローラ１１ａ、１１ｂの間を通り、図８のように折り目が付いた状態で用紙案内板４から排出され、落下し、折り目が揃った積層状態となってストックされる。
【００３６】
用紙受け６上に所定の枚数の用紙３が溜まると、図９のように、用紙受け６は中綴じステープラ７のクリンチャユニット１４とドライバユニット１５との間にスライド移動する。移動後、ステープラが作動し、折り目にステープルが打ち込まれて綴じられる。その後、用紙受け６は再び折りローラ１１の下部に移動する。用紙３は用紙受け６に沿って移動して排出され、縁部が裁断されて体裁が整えられる。
【００３７】
上記構成によれば、用紙受け６が移動して中綴じステープラの綴じ位置に移動するので、中綴じステープラのクリンチャユニット１４とドライバユニット１５と用紙３とを綴じる芯を合わせやすい。
【００３８】
次に、図１０〜図１４はさらに他のフィニッシャの形態を示すもので、用紙案内板４の端部には、駆動ローラ（上部ローラ）と従動ローラ（下部ローラ）１１ｃとからなる用紙送りローラが配置され、駆動ローラ１１ａはさらに第３のローラ１１ｂと水平に並んで配置されている。第３のローラ１１ｂは支軸１9ａを中心に、駆動ローラ１１ａと水平に当接する位置と離反する位置とに回動可能に設けられている。したがって、駆動ローラ１１ａと第３のローラ１１ｂとが当接することにより折りローラ１１が構成されるようになっている。折りブレード１２は折り用ローラ１１ｂと駆動ローラ１１ａとの間に挿入できるように上下動可能に設けられている。
【００３９】
また、用紙案内板４の延長上には斜めの第１用紙ガイド２０が設けられ、第１用紙ガイド２０は第２用紙ガイド２１と対になって、下方に広がるハの字形をなすように配置されている。第１用紙ガイド２０の位置は送られる用紙の種類のうち最も小さいものに合わせて決められる。また、位置第１用紙ガイド２０は背面側の軸を中心に回動できるようになっている。そして、第１用紙ガイド２０と第２用紙ガイド２１の下方には逆Ｖ字形の用紙受け６が配置されている。用紙受け６の中央部にはクリンチャユニット１４が固定されている。なお、クリンチャユニット１４の両側には用紙３の端部を受けるストッパ８ｄ、８ｅが上下動可能に配置されている。
【００４０】
上記構成のフィニッシャの作動態様について説明すると、まず、図１０に示すように、複写された用紙３が用紙案内板４上を用紙送りローラ１１ａ、１１ｃによってさらに送られると、その先の第１用紙ガイド２０によって下方に移動するように案内される。複写機側でどの大きさの用紙が送られるかは予めわかっているので、用紙の大きさに応じて送り量は決まっている。そして、所定量だけ送られて用紙３の中央部が折りブレード１２に対応する位置に至ったとき用紙送りローラ１１ａ、１１ｃは回転を停止し、用紙３も移動を停止する。このとき、用紙３の中央部は降りてきた第３のローラ１１ｂと駆動ローラ１１ａとによって構成された折りローラの間に位置するので、図１１に示されるように、折りブレード１２によって用紙３を、上から回動して降りてきた第３のローラ１１ｂと駆動ローラ１１ａとの間に押し込んで用紙３の中央部に折り目を付ける。
【００４１】
用紙３に折り目が付けられると、図１２のように、折りブレード１２と第３のローラ１１ｂは定位置に戻る。折り目の付いた用紙３は、再び用紙送りローラ１１ａ、１１ｃによってさらに送られる。用紙３の先端は第１用紙ガイド２０に沿って下方に流れ、用紙３の始端はストッパ８ｄに当たって止まる。しかし、用紙送りローラ１１ａ、１１ｃは回転し続けるので、用紙３の送りは止まらないので、折り目の付いた中央部は上方に押し上げられ、第１用紙ガイド２０と第２用紙ガイド２１との間に入り込む。そして、用紙３の終端が用紙送りローラ１１ａ、１１ｃを越えると、図１３に示されるように、上記終端は落下して他方のストッパ８ｅに係合する。
【００４２】
用紙３の両端がストッパ８ｄ、８ｅに係合すると、図１３に示されるように、ストッパ８ｄ、８ｅは下方に移動し、用紙３も同時に下降し、折り目が用紙受け６の頂点に係合してとどまる。そして、ストッパ８ｄ、８ｅが矢印Ｐのように円弧状に動いて再びもとの位置に戻る。
【００４３】
以上の動作を繰り返すことによって複数の用紙３が折り目が揃った積層状態となって用紙受け６上にストックされる。
【００４４】
用紙受け６上に所定の枚数の用紙３がストックされると、用紙受け６はドライバユニット１５とクリンチャユニット１４の中間にスライド移動し、ステープラが作動して折り目にステープルが打ち込まれて綴じられる。綴じ後、図１４に示されるように、一方のストッパ８ｅが上方に移動すると、綴じられた用紙３の束の一方が持ち上げられ、中央部が第１用紙ガイド２０の下部を押すので、第１用紙ガイド２０は軸を中心に回動して用紙３の折り目部分のガイドとなり、用紙３を排出ローラ２２，２３に押し込むように移動案内させる。用紙３は排出ローラ２２、２３により排出方向に送られ、さらに縁部が裁断されて体裁が整えられる。
【００４５】
上記構成によれば、折り目のついた用紙３をそのまま落下させて用紙受け６にストックするため、送り方向は一方向となり、複雑な用紙搬送機構を必要としない。
【００４６】
また、用紙受け６は逆Ｖ字形であるから、折り目の付いた用紙３を自然落下により用紙受け６にストックすることができる。
【００４７】
さらに、ステープラではなく、用紙受け６が移動して綴じ位置を変えられるため、クリンチャユニット１４とドライバユニット１５と用紙とを綴じる芯を合わせやすい。
【００４８】
なお、用紙３に折り目を付けた後に所定位置に搬送して綴じた後に裁断するまでの形態を図１５に基づいて説明する。
【００４９】
同図において、１枚ずつ折り目が付けられた用紙３が用紙受け部２４に送られてストッパ８ｆに当たって位置決めされる。ストッパ８ｆが移動して用紙３を押し出す。押し出された用紙３はガイドプレート２８の間を通り、ガイドプレート２８の角度に合わせて取付けられたステープラのクリンチャユニット１４のＶ字形用紙受け６とドライバユニット１５の間に入り、ストッパ８ｇで停止し、位置決めされる。ここで、所定の用紙３の枚数がストックされて積層状態になると、ステープラが作動し、その位置で綴じられる。
【００５０】
なお、ステープラの取付角度、つまりドライバユニット１５とクリンチャユニット１４は、ガイドプレート２８の角度に合わせて９０°以外にも自由に変えることができる。
【００５１】
用紙３が綴じられると、ストッパ８ｇが下方に移動しながらスライドして逃げる。このとき、用紙３はストッパ８ｇがスライドすることによって綴じ部が用紙受け６から浮き、さらにストッパ８ｇが下へ移動してドライバユニット１５を通過すると、９０°回転して落下し、２個の受けローラ２５に受けられる。
【００５２】
用紙３が受けローラ２５に受けられると、押し出し用ブレード２７が用紙３の折り目を押し出し、その先にある再折りローラ２６に送られる。再折りローラ２６で折り目を付けられた用紙３はそのまま排出され、断裁される。
【００５３】
上記構成によれば、用紙３の流れをシンプルにするとともに、ステープラの取付角度によりフィニッシャの奥行きサイズを小さくすることができる。
【図面の簡単な説明】
【００５４】
【図１】（ａ）〜（ｄ）は本発明に係るフィニッシャによる作動の流れを示す説明図
【図２】フィニッシャの折り目付け機構の他の形態を示す概観図
【図３】上記機構の作動態様説明図
【図４】折り目の付いた用紙が用紙受けに落下する状態を示す説明図
【図５】用紙受けが中綴じステープラのクリンチャユニットに移動した状態を示す説明図
【図６】フィニッシャの折り目付け機構のさらに他の形態を示す概観図
【図７】上記機構の作動態様説明図
【図８】折り目の付いた用紙が用紙受けに落下する状態を示す説明図
【図９】用紙受けが中綴じステープラに移動した状態を示す説明図
【図１０】フィニッシャの折り目付け機構のさらに他の形態を示す概観図
【図１１】上記機構の作動態様説明図
【図１２】折り目の付いた用紙が用紙受けに落下する途中の状態を示す説明図
【図１３】折り目の付いた用紙が用紙受けに落下した状態を示す説明図
【図１４】綴じられた後に用紙が次の工程に搬送される受けが中綴じステープラに移動した状態を示す説明図
【図１５】折り目を付けた用紙を裁断工程まで搬送する態様を示す流れ図
【符号の説明】
【００５５】
３  用紙
６  用紙受け
１１  折りローラ
【図１】
2010150002.tif 000003
【図２】
2010150002.tif 000004
【図３】
2010150002.tif 000005
【図４】
2010150002.tif 000006
【図５】
2010150002.tif 000007
【図６】
2010150002.tif 000008
【図７】
2010150002.tif 000009
【図８】
2010150002.tif 000010
【図９】
2010150002.tif 000011
【図１０】
2010150002.tif 000012
【図１１】
2010150002.tif 000013
【図１２】
2010150002.tif 000014
【図１３】
2010150002.tif 000015
【図１４】
2010150002.tif 000016
【図１５】
2010150002.tif 000017